(57)【要約】      （修正有）【課題】ガス容器物流の効率化を効果的に図ることができ、ガス容器物流コストを大幅に削減することのできるガス容器の移動式貯留施設を提供する。【解決手段】多数のガス容器Ｇを載置できる平型の載置台１２と、該載置台１２に載置されたガス容器Ｇに直射日光が当たらないようにすべく、前記載置台１２の上方に設けられた直射日光遮蔽部材としての、不燃性の金属材料で製作された屋根２２、支柱２３、梁２４ｂ、２６等及び可動庇（ひさし）部材２５と、該載置台１２の下側に設けられた車輪１５と、を含んでいるガス容器の移動式貯留施設により構成されている。【選択図】図２
0003179299.tif 000002
【実用新案登録請求の範囲】
【請求項１】
多数のガス容器を載置することのできる平型の載置台と、該載置台に載置されたガス容器に直射日光が当たらないようにすべく、前記載置台の上方に設けられた直射日光遮蔽部材と、前記載置台の下側に設けられた車輪と、を具備することを特徴とするガス容器の移動式貯留施設。
【請求項２】
前記直射日光遮蔽部材は、前記載置台上の所定高さ位置に設けられた屋根と、該屋根の左右側端から左右方向外方に張り出す可動庇部材と、を含んでいることを特徴とする請求項１に記載のガス容器の移動式貯留施設。
【請求項３】
前記可動庇部材は、前記屋根の左右側端から左右方向外方に張り出す開状態と前記屋根の左右側端から垂下された閉状態とに任意に位置変更できることを特徴とする請求項２に記載のガス容器の移動式貯留施設。
【請求項４】
前記直射日光遮蔽部材は、不燃性ないし難燃性の材料により構成されていることを特徴とする請求項１〜３のいずれか一項に記載のガス容器の移動式貯留施設。
【請求項５】
前記直射日光遮蔽部材は、前記載置台上の所定高さ位置に設けられた屋根と、該屋根の左右側端部と前記載置台との間に形成される側面開口を屋根側から所定長分だけ覆う側面カバー部材と、を含んでいることを特徴とする請求項２に記載のガス容器の移動式貯留施設。
【請求項６】
前記直射日光遮蔽部材は、前記載置台上の所定高さ位置に設けられた屋根と、該屋根の左右側端部と前記載置台との間に形成される側面開口を下から上へと開くことが可能な可動側面カバーと、を含んで構成されていることを特徴とする請求項１に記載のガス容器の移動式貯留施設。
【請求項７】
前記直射日光遮蔽部材を構成する屋根には、空気流通用のスリット状開口が設けられていることを特徴とする請求項２から６のいずれか一項に記載のガス容器の移動式貯留施設。
【考案の詳細な説明】
【技術分野】
【０００１】
本考案は、ガス容器の移動式貯留施設に係り、例えば、従来のプラットホーム型のガス容器の貯留施設もしくは貯留置場に代えて用いることのできるガス容器の移動式貯留施設に関する。
【背景技術】
【０００２】
ＬＰガスボンベ等のガス容器（以下、ガスが充填されているときを充瓶、空のときを空瓶と称することがある）の物流（貯留）施設の一つにデポステーションと呼ばれるものがある。
【０００３】
このデポステーションの一例を図９に示す。図示例のデポステーション２００は、多数のガス容器Ｇ（大をＧＬ、中をＧＭ、小をＧＳと表示することがある）が並べ置かれる屋根２５０付きプラットホーム型（固定式）のガス容器置場２１０と、主としてガス充填所とデポステーション２００との間で充瓶と空瓶の運送を行う運送車（大型トラック、トレーラー）３００の駐車部２２０と、各ユーザー（家庭）とデポステーションとの間を行き来する配送車（小型トラック）４００の駐車部２３０とが隣接して設けられている。
【０００４】
ここで、高圧ガス保安法の基準により、ガス容器置場２１０は、ガス容器に直射日光が当たらないようにするため、直射日光を遮るための屋根２５０の設置が義務づけられており、また、通風性も確保する必要もある。
【０００５】
図示例のデポステーション２００では、プラットホーム型の二つのガス容器施設、即ちガス容器置場２１０が、運送車３００の駐車部２２０を挟んで並設されており、ガス容器置場２１０の屋根２５０は、二つのガス容器置場２１０、２１０及びそれらの間の駐車部２２０を覆うように、複数本の支柱２６０に支持されて所定高さ位置に配在されている。また、屋根２５０は、支柱２６０より外側に張り出す比較的大きな庇（ひさし）部分２５２を有している。
【０００６】
かかるデポステーション２００においては、ガス容器置場２１０に置かれている充瓶Ｇを配送車４００に積み込み（黒塗り矢印）、充瓶Ｇを各ユーザーに配送するとともに、ユーザーから空瓶Ｇを回収してガス容器置場２１０に積み下ろして（白抜き矢印）貯留して置く。その後、空瓶Ｇはまとめて運送車３００に積み込まれて（白抜き矢印）、ガス充填所に運ばれ、空瓶Ｇにガスが充満される。ガスが充填された充瓶は、まとめて（所要個数）運送車３００に積み込まれ、再びガス容器置場２１０に運ばれ、積み下ろされて（黒塗り矢印）並べて貯留される。
【考案の開示】
【考案が解決しようとする課題】
【０００７】
近年、ガス容器の物流コストの削減が強く要望されており、本願の考案者等も、長年、ガス容器の貯留を含めた物流の効率化に取り組んできた。
【０００８】
本考案は、かかる課題に立脚してなされたもので、その目的とするところは、ガス容器の貯留・物流の効率化を効果的に図ることができ、ガス容器の貯留・物流コストを大幅に削減することのできるガス容器の移動式貯留施設を提供することにある。
【課題を解決するための手段】
【０００９】
前記の目的を達成すべく、本考案に係るガス容器の移動式貯留施設は、基本的には、多数のガス容器を載置することのできる平型の載置台と、該載置台に載置されたガス容器に直射日光が当たらないようにすべく、前記載置台の上方に設けられた直射日光遮蔽部材と、前記載置台の下側に設けられた車輪と、を具備することを特徴としている。
【００１０】
好ましい具体的な態様では、前記直射日光遮蔽部材は、前記載置台上の所定高さ位置に設けられた屋根と、該屋根の左右側端から左右方向外方に張り出す可動庇部材と、を含んでいることを特徴としている。
【００１１】
他の好ましい具体的な態様では、前記可動庇部材は、前記屋根の左右側端から左右方向外方に張り出す開状態と前記屋根の左右側端から垂下された閉状態とに任意に位置変更できることを特徴としている。
【００１２】
更にまた、他の好ましい具体的な態様では、前記直射日光遮蔽部材は、不燃性ないし難燃性の材料により構成されていることを特徴としている。
【００１３】
更にまた、他の好ましい具体的な態様では、前記直射日光遮蔽部材は、前記載置台上の所定高さ位置に設けられた屋根と、該屋根の左右側端部と前記載置台との間に形成される側面開口を屋根側から所定長分だけ覆う側面カバー部材と、を含んでいることを特徴としている。
【００１４】
更にまた、他の好ましい具体的な態様では、前記直射日光遮蔽部材は、前記載置台上の所定高さ位置に設けられた屋根と、該屋根の左右側端部と前記載置台との間に形成される側面開口を下から上へと開くことが可能な可動側面カバーと、を含んで構成されていることを特徴としている。
【００１５】
更にまた、他の好ましい具体的な態様では、前記直射日光遮蔽部材を構成する屋根には、空気流通用のスリット状開口が設けられていることを特徴としている。
【考案の効果】
【００１６】
本考案に係るガス容器の移動式貯留施設は、屋根等からなる直射日光遮蔽部材が設けられているので、高圧ガス保安法の基準を満たし、また、屋根の左右側端部と載置台との間等には開口を形成することができるので、通風性も確保でき、そのため、貯留場（デポステーション）において、従来のプラットホーム型のガス容器置場に代えて用いることができる。
【００１７】
また、車輪が付いているので、車両等で牽引することによりガス容器貯留場内及び道路上を移動（走行）させることができ、したがって、配送車で回収してきた空瓶を当該ガス容器の移動式貯留施設に積み込んで、そのままガス充填所に運ぶとともに、ガスが充填された充瓶を当該ガス容器の移動式貯留施設に積み込み、当該ガス容器の移動式貯留施設をガス充填所から貯留場内（の止め置き部）に移動（走行）させて、そこで止め置く。その後、該止め置かれたガス容器を載置している移動式貯留施設から充瓶を配送車に積み込み、充瓶を各ユーザーに配送するとともに、ユーザーから空瓶を回収して当該ガス容器の移動式貯留施設に載置すればよい。
【００１８】
すなわち、本考案のガス容器の移動式貯留施設は、従来のプラットホーム型のガス容器置場と運送車の両方の役目を果たすことができ、そのため、本考案のガス容器の移動式貯留施設が配置されるガス容器貯留場には、従来の、プラットホーム型のガス容器置場は不要となり、プラットホーム型のガス容器置場に置かれた空瓶をガス充填所に運ぶために運送車に積み込む手間と時間、並びに、ガスが充填された充瓶を再び運送車からプラットホーム型のガス容器置場に積み下ろす手間と時間等を削減できる。
【００１９】
このように本考案に係るガス容器の移動式貯留施設によれば、ガス容器物流の効率化を効果的に図ることができ、ガス容器物流コストを大幅に削減することができる。
【図面の簡単な説明】
【００２０】
【図１】本考案に係るガス容器の移動式貯留施設の第１実施例を示す斜視図。
【図２】第１実施例のガス容器の移動式貯留施設の構成・動作説明に供される部分切欠後面図。
【図３】本考案に係るガス容器の移動式貯留施設の第２実施例を示す斜視図。
【図４】第２実施例のガス容器の移動式貯留施設の構成・動作説明に供される部分切欠後面図。
【図５】本考案に係るガス容器の移動式貯留施設の第３実施例を示す斜視図。
【図６】本考案に係るガス容器の移動式貯留施設の第４実施例を示す斜視図。
【図７】第４実施例のガス容器の移動式貯留施設の構成説明に供される部分切欠後面図。
【図８】第１実施例のガス容器の移動式貯留施設を配備したガス容器貯留場（デポステーション）の一例を示す概略図。
【図９】デポステーションと呼ばれる従来のガス容器貯留場の一例を示す概略図。
【考案を実施するための形態】
【００２１】
以下、本考案の実施の形態を図面を参照しながら説明する。
【００２２】
図１は、本考案に係るガス容器の移動式貯留施設の第１実施例を示す斜視図、図２は、第１実施例のガス容器の移動式貯留施設の部分切欠後面図である。
【００２３】
図示の第１実施例のガス容器の移動式貯留施設１は、基本的には、多数のガス容器Ｇを載置することのできる平型の載置台１２と、該載置台１２の下側に設けられた移動用の車輪１５と、載置台１２に積み込まれたガス容器Ｇに直射日光が当たらないようにすべく、載置台１２の上方に設けられた直射日光遮蔽部材とを備え、該直射日光遮蔽部材は、不燃性の金属材料（アルミ等）で製作された屋根２２、支柱２３、長方形に組まれた梁２４（縦梁２４ａ、中央梁２４ｂ、横梁２４ｃ）、中間横梁２６、及び、可動庇（ひさし）部材２５とを含んだ構成とされている。
【００２４】
詳細には、載置台１２は、中小のガス容器Ｇ（ＧＭ、ＧＳ）が配置される、一段高くされた前部載置台１２ａと大きなガス容器Ｇ（ＧＬ）の比較的長い主載置台１２ｂとからなり、主載置台１２ｂは４組の支柱２３、２３（左右一対）により前後方向に３つの領域に区切られており、載置台１２（前部載置台１２ａと主載置台１２ｂの３つの領域）の左右側面及び後面には、立ち上がり状態［図１及び図２（Ａ）］と立ち下がり状態［図２（Ｂ）］をとることのできるアオリ１６、１７、１８が設けられている。
【００２５】
また、前部載置台１２ａの下面側の左右には揺れ止め用のアウトリガ４９が立設されている。
【００２６】
直射日光遮蔽部材としての屋根２２は、支柱２３や梁２４、２６に支持されて載置台１２上の所定高さ位置に平板状に配設されている。
【００２７】
前記可動庇部材２５（２５ａ、２５ｂ、２５ｃ）は、載置台１２（前部載置台１２ａと主載置台１２ｂの３つの領域）の左右側面及び後面に、蝶番２８で揺動可能に支持されており、シリンダ型の空圧アクチュエータ２７を伸縮作動させることにより、屋根２２の左右側端から左右方向外方に張り出す開状態［図２（Ｂ）］と屋根２２の左右側端から垂下された閉状態［図１及び図２（Ａ）］とを任意にとり得るようにされている。
【００２８】
この可動庇部材２５は、当該ガス容器の移動式貯留施設１を車両等で牽引して道路上を移動（走行）させる際には、前記閉状態をとらせ、後述するガス容器貯留施設１の置場１００内（の止め置き部１１０）で止め置く際には、前記開状態にして庇としての役目を果たすようにされる。
【００２９】
図３は、本考案に係るガス容器の移動式貯留施設の第２実施例を示す斜視図、図４は、第２実施例のガス容器の移動式貯留施設の部分切欠後面図である。
【００３０】
図示第２実施例のガス容器の移動式貯留施設２も、基本的には、第１実施例と同様に、多数のガス容器Ｇを載置することのできる平型の載置台１２と、この載置台１２の下側に設けられた移動用の車輪１５と、載置台１２の左右側面に設けられたアオリ１６、１７と、後部扉１９と、載置台１２に積み込まれたガス容器Ｇに直射日光が当たらないようにすべく、載置台１２の上方に設けられた直射日光遮蔽部材としての、不燃性の金属材料（アルミ等）で製作された屋根２２（第１実施例と同）、支柱２３、梁２４、２６及び可動側面カバー３５等を含んで構成されている。
【００３１】
可動側面カバー３５（３５ａ、３５ｂ）は、不燃性ないし難燃性及び可撓性を有する（巻取り可能な）シートで製作され、載置台１２（前部載置台１２ａと主載置台１２ｂの３つの領域）の左右側面を開閉可能とされている。より詳しくは、図４（Ａ）、（Ｂ）に示される如くに、巻取り機構３７により、屋根２２の左右側端部と載置台１２との間に形成される側面開口を下から上へと開くことができるようにされている。
【００３２】
この可動側面カバー３５は、当該ガス容器の移動式貯留施設２を車両等で牽引して道路上を移動（走行）させる際には、前記側面開口を全閉ないしその大部分を閉じた状態［図４（Ａ）］にされ、後述する貯留施設１００内（の止め置き部１１０）で止め置く際には、巻取り機構３７により巻き取られて、その下端が前記屋根２２近くまで引き上げられ［図４（Ｂ）］、前記側面開口を屋根側から所定長分だけ覆って直射日光遮蔽部材（庇）としての役目を果たすようにされる。
【００３３】
図５は、本考案に係るガス容器の移動式貯留施設３の第３実施例を示す斜視図である。この第３実施例のガス容器の移動式貯留施設３では、第２実施例（図３）に示される金属材料（アルミ等）で製作された屋根２２に代えて、不燃性ないし難燃性及び可撓性を有する（巻取り可能な）シートで製作され、載置台１２の上方を覆う開状態と載置台１２の上方を開放する開状態とを取り得るようにされた屋根（開閉式シート製屋根）３２が設けられている。
【００３４】
より具体的には、開閉式シート製屋根３２は、前端部に設けられた案内ローラー３１付き巻取り機構３０により巻き取られた開状態と後端側に展開された閉状態（図５の状態）とを取り得るようにされている。
【００３５】
ここで、シート製屋根３２には、展開されたときでも形状が保持し得る(平板状保つ）ようにするため、所定間隔をあけて細い横棒３２ａが固着されており、該シート製屋根３２の左右両端部は、左右の縦梁２４ａ、２４ａに設けられて案内溝３３に滑動可能に挿入されている。
【００３６】
なお、開閉式シート製屋根３２は、直射日光を遮蔽するものであり、ガス容器が風雨に晒されるのを防止するためのものではない（ガス容器は雨に濡れても全く問題はない）ので、雨天時、曇天時等には、シート製屋根３２を開状態として移動（走行）しても差し支えない。
【００３７】
また、この第３実施例のガス容器の移動式貯留施設３においても、第２実施例の可動側面カバー３５と同様に、左右の縦梁２４ａ、２４ａと載置台１２との間に形成される側面開口を下から上へと開くことのできる可動側面カバー３８（３８ａ、３８ａ）が設けられている。
【００３８】
図６は、本考案に係るガス容器の移動式貯留施設の第４実施例を示す斜視図、図７は、第４実施例のガス容器の移動式貯留施設の部分切欠後面図である。
【００３９】
図示第４実施例のガス容器の移動式貯留施設４も、基本的には、第２実施例と同様に、多数のガス容器Ｇを積み込むことのできる平型の載置台１２と、この載置台１２の下側に設けられた移動用の車輪１５と、載置台１２の左右側面及び後面に設けられたアオリ１６、１７、１８と、後部扉１９と、載置台１２に積み込まれたガス容器Ｇに直射日光が当たらないようにすべく、載置台１２の上方に設けられた直射日光遮蔽部材としての、金属製又は不燃性の材料で作製されたシートからなる屋根４２、支柱２３、梁２４(縦梁２４ａ、中央梁２４ｂ、横梁２４ｃ)、中間横梁２６、中央梁２４ｂと左右縦梁との間に架けわたされた補強用の小梁４４，及び、この小梁４４や中間横梁２６上に取り付けられた細長三角形状の支持金具４６，４７等を含んで構成されている。
【００４０】
ここで、本実施例の屋根４２は、図７に示される如くに、比較的大きな支持金具４６で支持された左側半屋根部４２Ａと比較的小さな支持金具４７で支持された右側半屋根部４２Ｂとで分割構成されていて、左側半屋根部４２Ａと右側半屋根部４２Ｂの中央（内）側端部は上下方向に所定の間隙をあけてオーバーラップしており、該オーバーラップしている部分の間隙が空気流通用のスリット状開口４８となっている。
【００４１】
このように、スリット状開口４８を設けることにより、当該ガス容器の移動式貯留施設４を車両等で牽引して道路上を走行させる際において、屋根周りに発生する風力（応力）を低減することができる。
【００４２】
次に、かかる構成を有する第１、第２、第３、第４実施例のガス容器の移動式貯留施設１、２、３、４の作用効果を説明する。
【００４３】
以下においては、図８に示される如くの、第１実施例のガス容器の移動式貯留施設１と、該貯留施設が移動可能にした貯留場１００を代表して説明する。
【００４４】
図８に示される本考案実施例のガス容器の移動式貯留施設１が配置したガス容器の移動式貯留施設の貯留場（デポステーション）１００は、複数台の上記ガス容器の移動式貯留施設１が止め置かれる止め置き部１１０が設けられるとともに、該止め置き部１１０に隣接して、各ユーザー（家庭）とデポステーション１００との間を行き来する配送車（小型トラック）４００の駐車部１３０とが隣接して設けられている。なお、留め置き部１１０や駐車部１３０等は、それを示す白線、標識等が設けられている。
【００４５】
図示例のデポステーション１００においては、ガス容器の移動式貯留施設１に置かれている充瓶Ｇを配送車４００に積み込み（黒塗り矢印）、充瓶Ｇを各ユーザーに配送するとともに、ユーザーから空瓶Ｇを回収してガス容器の移動式貯留施設１に積み下ろして（白抜き矢印）置いておく。その後、空瓶Ｇはまとめてガス容器の移動式貯留施設１によって、ガス充填所に運ばれ、ここでガスが充填された充瓶はまとめて（所要個数）前記移動式貯留施設１に積み込まれて、再びガス容器の置場（デポステーション）１００に運ばれて、そこに貯留される。
【００４６】
本考案の実施例のガス容器の移動式貯留施設１は、屋根２２、可動庇部材２５等からなる直射日光遮蔽部材が設けられているので、高圧ガス保安法の基準を満たし、また、屋根２２の左右側端部及び後端部と載置台１２との間には開口を形成することができるので、通風性も確保でき、そのため、デポステーション１００において、従来のプラットホーム型のガス容器置場に代えて用いることができる。
【００４７】
また、車輪１５が付いているので、車両等で牽引することによりデポステーション１００内及び道路上を移動（走行）させることができる。
【００４８】
したがって、配送車４００で回収してきた空瓶Ｇを当該ガス容器の移動式貯留施設１に積み込んで載置し貯留し、その後、そのままの状態で、ガス充填所に運ぶとともに、ガスが充填された充瓶Ｇを当該ガス容器の移動式貯留施設１に積み込み、当該ガス容器の移動式貯留施設１をガス充填所からデポステーション１００内（の止め置き部１１０）に移動（走行）させてそこで止め置き、該止め置かれたガス容器の移動式貯留施設１に積み込まれている充瓶Ｇを配送車４００に積み込み、充瓶Ｇを各ユーザーに配送するとともに、ユーザーから空瓶Ｇを回収して当該ガス容器の移動式貯留施設１に積み込めばよい。
【００４９】
すなわち、本考案の実施例のガス容器の移動式貯留施設１は、従来のプラットホーム型のガス容器置場２１０と運送車３００の両方の役目を果たすことができ、そのため、本考案の実施例のガス容器の移動式貯留施設１が用いられたガス容器の貯留場（デポステーション）１００では、従来の、プラットホーム型のガス容器置場２１０及び運送車３００の駐車部は不要となり、プラットホーム型のガス容器置場２１０に置かれた空瓶Ｇをガス充填所に運ぶために運送車３００に積み込む手間と時間、並びに、ガスが充填された充瓶Ｇを再び運送車３００からプラットホーム型のガス容器置場２１０に積み下ろす手間と時間等を削減できる。
【００５０】
このように本考案に係るガス容器の移動式貯留施設１（２、３、４）及びそれを備えたガス容器の貯留場（デポステーション）１００によれば、ガス容器の物流の効率化を効果的に図ることができ、ガス容器の物流コストを大幅に削減することができる。
【００５１】
また、上記説明では、第１実施例のガス容器の移動式貯留施設１及びそれを備えたガス容器貯留場（デポステーション）１００を代表して説明したが、第２及び第３及び第４実施例のガス容器の移動式貯留施設２、３及び４、並びに、それを備えたガス容器の貯留場においても、上記と略同様な作用効果が得られる。
【符号の説明】
【００５２】
１、２、３、４・・・・ガス容器の移動式貯留施設
１２・・・・載置台
１５・・・・車輪
２０・・・・屋根（遮蔽部材）
２５・・・・可動庇部材（遮蔽部材）
３２・・・・屋根（遮蔽部材）
３５・・・・可動側面カバー（遮蔽部材）
４２・・・・屋根（遮蔽部材）
４５・・・・側面カバー（遮蔽部材）
４８・・・・スリット状開口
１００・・・・ガス容器貯留場（デポステーション）
１０５・・・・止め置き部
１１０・・・・駐車部
Ｇ・・・・ガス容器（充瓶、空瓶）
【図１】
0003179299.tif 000003
【図２】
0003179299.tif 000004
【図３】
0003179299.tif 000005
【図４】
0003179299.tif 000006
【図５】
0003179299.tif 000007
【図６】
0003179299.tif 000008
【図７】
0003179299.tif 000009
【図８】
0003179299.tif 000010
【図９】
0003179299.tif 000011